(57)【要約】【課題】電源のオン／オフに対応して点灯または消灯したり、バックライトとして機能するＬＥＤを用いてデータの送信を行うことができるようにする。【解決手段】マイコン５は、受光部８を介して、リモコン２００より送信されてきたサービスコードを受信すると、このコードに対応して情報記憶部６から調整値等のデータを読み出し、調整値等のデータに対応してＬＥＤの輝度を調整するための制御信号を、電源のオン／オフを示すＬＥＤを有する発光部７に供給する。発光部７は、マイコン５から供給された制御信号に基づいてＬＥＤの輝度を調整し、光によりデータを送信する。或いは、ＬＣＤ３の背面に設けられたＬＥＤ３１に制御信号を供給すると、ＬＥＤ３１の輝度がマイコン５から供給された制御信号に従って調整され、光によりデータが送信される。【選択図】図１
2008061070.tif 000002
【特許請求の範囲】
【請求項１】
所定の機能を提供するＬＥＤを用いて所定の情報を提供する情報提供装置であって、
前記情報を記憶する記憶手段と、
前記記憶手段によって記憶されている前記情報を読み出す読み出し手段と、
前記読み出し手段によって読み出された前記情報に対応して前記ＬＥＤの輝度を変化させるＬＥＤ制御手段と
を備えることを特徴とする情報提供装置。
【請求項２】
前記ＬＥＤは、電源がオンされたときに点灯するＬＥＤである
ことを特徴とする請求項１に記載の情報提供装置。
【請求項３】
前記ＬＥＤは、液晶ディスプレイのバックライトとして用いられるＬＥＤである
ことを特徴とする請求項１に記載の情報提供装置。
【請求項４】
前記情報は、前記情報提供装置の工場出荷時の各種調整値の設定が行われたか否かを示す情報を含む
ことを特徴とする請求項１乃至３のいずれかに記載の情報提供装置。
【請求項５】
所定の機能を提供するＬＥＤを用いて所定の情報を提供する情報提供方法であって、
前記情報を記憶する記憶ステップと、
前記記憶ステップにおいて記憶された前記情報を読み出す読み出しステップと、
前記読み出しステップにおいて読み出された前記情報に対応して前記ＬＥＤの輝度を変化させるＬＥＤ制御ステップと
を備えることを特徴とする情報提供方法。
【請求項６】
所定の機能を提供するＬＥＤを用いて所定の情報を提供する情報提供装置を制御する情報提供プログラムであって、
前記情報を記憶する記憶ステップと、
前記記憶ステップにおいて記憶された前記情報を読み出す読み出しステップと、
前記読み出しステップにおいて読み出された前記情報に対応して前記ＬＥＤの輝度を変化させるＬＥＤ制御ステップと
を前記情報提供装置に実行させることを特徴とする情報提供プログラム。
【発明の詳細な説明】
【技術分野】
【０００１】
本発明は情報提供装置に関し、特に、ＬＥＤの輝度変化によって情報を提供する情報提供装置に関するものである。
【背景技術】
【０００２】
従来、機器の内部情報、例えば、工程情報、エラー情報、使用頻度情報、調整データ情報等は、ＬＥＤ（Light Emitting Diode）の発光パターン等で表現し、外部に通知するようにしていた。また、機器に対して特殊な操作を行うことによりこれらの情報が表示されるようにして、一般ユーザが誤ってこれらの情報を表示させることがないようにしていた。
また、道路標識に用いられ、点灯することにより特定の標識パターンを表示するＬＥＤを、高速で点滅させることによって音声データ、例えば、「ここでの制限速度は時速７０キロメートルです」等のアナウンスに対応する音声データを光信号によって送信し、車に取り付けられた受信装置がその光信号を受信して音声データに変換し、出力することができるようにしたものがある（例えば、特許文献１参照）。
また、百貨店やスーパー等の店舗内の照明用のＬＥＤを高速で点滅させることにより、各種データを光信号により送信することができるようにしたものがある（例えば、特許文献２参照）。
【特許文献１】特開２００２−２０２７４１号公報
【特許文献２】特開２００６−１７４１２０号公報
【発明の開示】
【発明が解決しようとする課題】
【０００３】
しかしながら、機器の内部情報をＬＥＤの発光パターン等で表現して外部に通知する方法では、通知可能な情報の量や種類等に制限があり、発光パターンの意味を直ちに認識することができないという問題があった。また、その発光パターンを表示させるための操作が複雑であるため、作業効率が低下するという問題もあった。
また、特許文献１の発明では、道路標識を表示するＬＥＤを高速点滅させることにより、標識パターンを表示する機能に加えて、音声データを送信することができるようになっているが、機器の状態情報や調整値情報等の各種データを送信することに関しては明示されていない。
また、特許文献２の発明では、照明用のＬＥＤを高速点滅させることにより、各種データを送信することができるが、この場合も、機器の状態情報や調整値情報等の各種データを送信することに関しては明示されていない。
【０００４】
本発明はこのような状況に鑑みてなされたものであり、機器に備えられたＬＥＤを高速点滅させることにより、機器の状態情報や調整値情報等の各種情報を送信することができるようにするものである。
【課題を解決するための手段】
【０００５】
請求項１に記載の情報提供装置は、所定の機能を提供するＬＥＤを用いて所定の情報を提供する情報提供装置であって、情報を記憶する記憶手段と、記憶手段によって記憶されている情報を読み出す読み出し手段と、読み出し手段によって読み出された情報に対応してＬＥＤの輝度を変化させるＬＥＤ制御手段とを備えることを特徴とする。
また、ＬＥＤは、電源がオンされたときに点灯するＬＥＤとすることができる。
また、ＬＥＤは、液晶ディスプレイのバックライトとして用いられるＬＥＤとすることができる。
また、情報は、情報提供装置の工場出荷時の各種調整値の設定が行われたか否かを示す情報を含むようにすることができる。
請求項５に記載の情報提供方法は、所定の機能を提供するＬＥＤを用いて所定の情報を提供する情報提供方法であって、情報を記憶する記憶ステップと、記憶ステップにおいて記憶された情報を読み出す読み出しステップと、読み出しステップにおいて読み出された情報に対応してＬＥＤの輝度を変化させるＬＥＤ制御ステップとを備えることを特徴とする。
請求項６に記載の情報提供プログラムは、所定の機能を提供するＬＥＤを用いて所定の情報を提供する情報提供装置を制御する情報提供プログラムであって、情報を記憶する記憶ステップと、記憶ステップにおいて記憶された情報を読み出す読み出しステップと、読み出しステップにおいて読み出された情報に対応してＬＥＤの輝度を変化させるＬＥＤ制御ステップとを情報提供装置に実行させることを特徴とする。
【発明の効果】
【０００６】
本発明の情報提供装置によれば、所定の機能を提供するＬＥＤを用いて各種データを光により送信することができる
【発明を実施するための最良の形態】
【０００７】
図１は、本発明が適用されるテレビジョン受像機１００の一実施の形態の構成例を示すブロック図である。同図に示すように、テレビジョン受像機１００は、図示しないアンテナによって受信された映像信号に対して各種信号処理を行う信号処理回路１と、後述するマイクロコンピュータ（マイコン）５の制御下、信号処理回路１から出力された映像信号に基づいて後述するＬＣＤ（Liquid Crystal Display）３を制御するとともに、エラー情報をマイコン５に供給するＬＣＤ制御回路２と、ＬＣＤ制御回路２より供給される制御信号に従って動作し、映像信号に対応する映像を表示するＬＣＤ３と、各部に電力を供給するとともに、エラー情報をマイコン５に供給するインバータ回路４と、制御プログラムを記憶するＲＯＭ（Read Only Memory）、各種データを記憶するＲＡＭ（Random Access Memory）、制御プログラムを実行するＣＰＵ（Central Processing Unit）等からなり、各部を制御するマイコン５と、各種調整値等のデータを記憶する不揮発性メモリ等からなる情報記憶部６と、ＬＥＤ（Light Emitting Diode）およびその制御回路等からなり、マイコン５の制御下、点灯または消灯するとともに、点灯中において、情報記憶部６に記憶されている調整値等のデータに対応して、例えば、１００乃至２００ヘルツで輝度が変化し、調整値等のデータを光によって送信する発光部７と、マイコン５に対して各種モードに対応するモード設定信号を供給するモード設定部９と、リモートコントローラ（リモコン）２００から照射される制御データに対応した赤外線を受光し、受光した赤外線に対応する制御データをマイコン５に供給する受光部８等から構成されている。
【０００８】
また、ＬＣＤ３の背面には、バックライトとして機能するＬＥＤ３１が設けられている。マイコン５は、タイマ機能部５１を有し、時間計測を行うことができるようになっている。なお、本実施の形態では、音声信号を処理するブロックについての図示および説明は省略している。
【０００９】
次に、図２のフローチャートを参照して、本実施の形態の動作について説明する。まず、ステップＳ１において、リモコン２００から、サービスコードが赤外線により送信されてきたか否かが判定される。ここで、サービスコードとは、テレビジョン受像機１００の情報記憶部６に記憶されている各種調整値等の保守点検用のデータの送信を指示するためのコードであり、保守作業員が使用する特殊なコードである。
【００１０】
ステップＳ１における判定の結果、サービスコードが送信されてきていないと判定された場合、ステップＳ６に進む。一方、サービスコードが送信されてきたと判定された場合、ステップＳ２に進む。
【００１１】
ステップＳ６においては、他のコードが送信されてきたか否かが判定される。その結果、他のコードが送信されてきていないと判定された場合、ステップＳ１に戻り、ステップＳ１以降の処理が繰り返し実行される。一方、他のコードが送信されてきたと判定された場合、ステップＳ７に進む。ステップＳ７においては、他のコードに対応する処理が実行され、その後、本処理を終了する。
【００１２】
ステップＳ２においては、マイコン５により、情報記憶部６に記憶されている調整値等のデータ（情報記憶データ）が読み出される。次に、ステップＳ３において、情報記憶部６から読み出されたデータがＡＳＣＩＩコードに変換される。例えば、情報記憶部６に記憶されている調整値等の数値を表す整数のデータが、各桁毎にＡＳＣＩＩコードに変換された文字列からなるシリアルデータに変換される。
【００１３】
次に、ステップＳ４において、マイコン５により、ＡＳＣＩＩコードに変換されたデータに対応して発光部７が制御される。即ち、データを構成する各ＡＳＣＩＩコードに対応して順次、発光部７を構成するＬＥＤの輝度を調整するための制御信号が発光部７に供給される。発光部７は、マイコン５から供給される制御信号に従って輝度を変化させ、光によりデータの送信が行われる。
【００１４】
次に、ステップＳ５において、情報記憶部６に記憶されている全てのデータに対してステップＳ２乃至Ｓ４の処理が実行されたか否かが判定される。その結果、全てのデータに対してステップＳ２乃至Ｓ４の処理が実行されていないと判定された場合、ステップＳ２に戻り、ステップＳ２以降の処理が繰り返し実行される。一方、全てのデータに対してステップＳ２乃至Ｓ４の処理が実行されたと判定された場合、本処理を終了する。
【００１５】
図３は、テレビジョン受像機１００の情報記憶部６に記憶されている内部記録情報（情報記憶データ）をリモコン２００が読み出し、パーソナルコンピュータ３００に供給し、パーソナルコンピュータ３００が内部記録情報に基づいてテレビジョン受像機１００の良否判定およびデータ管理を行うための機器構成およびデータの流れを示している。
【００１６】
同図に示すように、テレビジョン受像機（内部記録情報送信機能対応ＴＶ）１００は、情報記憶部６に記憶されている情報をリモコン（送受信機器）２００から送信されてきたデータ要求信号（サービスコード）を受信した後に送信する機能を実現する送受信機能部１１０を有し、リモコン（送受信機器）２００は、テレビジョン受像機１００に対してデータ要求信号を送信するとともに、このデータ要求信号に対応してテレビジョン受像機１００から送信されてきた送信データを受信する送受信機能部２１０を有し、パーソナルコンピュータ３００は、リモコン２００に接続され、リモコン２００から供給されたデータに基づいて、テレビジョン受像機１００の良否判定を行うとともに、データ管理を行う。送受信機能部１１０は、図１の発光部７、受光部８、およびマイコン５に対応する。
【００１７】
図４は、テレビジョン受像機１００の情報記憶部６に記憶されている各種調整値のデータ構成例を示している。この例では、各調整値は８ビットで構成され、各調整値の最上位ビット（ＭＳＢ）には、各調整値が調整済みであるか否かを示すデータ（例えば、１は調整済み、０は未調整）がセットされる。従って、実質的には調整値は最上位ビットを除く７ビットで表される。
【００１８】
図５は、情報記憶部６に記憶されている調整値に応じて、調整エラー（未調整）である場合にエラー表示を行う手順を示すフローチャートである。まず、ステップＳ１１において、リモコン２００からサービスコードが送信されてきたか否かが判定される。
【００１９】
その結果、サービスコードが送信されてきていないと判定された場合、ステップＳ１８に進む。一方、サービスコードが送信されてきたと判定された場合、ステップＳ１２に進む。
【００２０】
ステップＳ１８においては、他のコードが送信されてきたか否かが判定される。その結果、他のコードが送信されてきていないと判定された場合、ステップＳ１１に戻り、ステップＳ１１以降の処理が繰り返し実行される。一方、他のコードが送信されてきたと判定された場合、ステップＳ１９に進む。ステップＳ１９においては、他のコードに対応する処理が実行され、その後、本処理を終了する。
【００２１】
ステップＳ１２においては、マイコン５により、情報記憶部６に記憶されている各種調整値が順次読み出される。次に、ステップＳ１３において、読み出された調整値の最上位ビット（ＭＳＢ）にセットされている値に基づいて、調整が実施されているか否かが判定される。
【００２２】
その結果、ＭＳＢに値０がセットされており、調整が実施されていないと判定された場合、ステップＳ１５に進み、調整が行われていないことを示す警告がなされる。例えば、テレビジョン受像機１００のＬＥＤを点滅させることにより調整がなされていないことを通知する。あるいは、所定のエラーメッセージに対応してＬＥＤを高速に点滅させることにより、エラーメッセージを光により送信する。その後、ステップＳ１７に進む。
【００２３】
一方、ＭＳＢに値１がセットされており、調整が実施されていると判定された場合、ステップＳ１４に進む。ステップＳ１４においては、情報記憶部６から読み出された調整値がＡＳＣＩＩコードからなる文字列に変換される。
【００２４】
次に、ステップＳ１６において、マイコン５により、ＡＳＣＩＩコードに変換されたデータに対応して発光部７が制御される。即ち、データを構成する各ＡＳＣＩＩコードに対応して順次、発光部７を構成するＬＥＤの輝度を調整するための制御信号が発光部７に供給される。発光部７は、マイコン５から供給される制御信号に従って輝度を変化させ、光によりデータの送信が行われる。
【００２５】
次に、ステップＳ１７において、全ての調整値に対してステップＳ１２乃至Ｓ１６の処理が実行されたか否かが判定される。その結果、全ての調整値に対してステップＳ１２乃至Ｓ１６の処理が実行されていないと判定された場合、ステップＳ１２に戻り、ステップＳ１２以降の処理が繰り返し実行される。一方、全ての調整値に対してステップＳ１２乃至Ｓ１６の処理が実行されたと判定された場合、本処理を終了する。
【００２６】
モード設定部９は、テレビジョン受像機１００に設けられており、図示しないボタン操作に応じて各種モードを設定するものであるが、本発明とは直接関係しないのでその説明は省略する。
【００２７】
このように、通常は電源ボタンの近傍に設けられ、電源がオンのとき点灯し、電源がオフのときに消灯することにより、電源のオン／オフを表すＬＥＤの輝度を、データに対応して高速に変化させることにより、光によってそのデータを送信することができる。送信されたデータは、リモコン２００に設けられた受光部（図３の送受信機能部２１０に対応する）によって受光され、対応するデータに変換された後、リモコン２００に設けられた図示しない液晶表示部に表示される。
【００２８】
また、各種調整値の最上位ビットに調整済みか否かを示す値をセットするようにしたので、保守作業者は、各調整値が調整済みであるか否かを容易に認識することができる。また、調整済みでない調整値を優先的に表示させたり、調整済みでない調整値のみを表示させたりすることにより、保守作業の効率を上げることができる。
【００２９】
なお、上記実施の形態においては、電源のオン／オフを示すＬＥＤを用いる場合について説明したが、液晶表示装置のバックライトとしてＬＥＤが用いられている場合、このＬＥＤの輝度を変化させることによってデータの送信を行うようにすることができる。即ち、マイコン５によりＬＣＤ３の背面に設けられたＬＥＤ３１に制御信号が供給されると、ＬＥＤ３１の輝度がマイコン５から供給された制御信号に従って調整され、光によりデータが送信される。
【００３０】
また、上記実施の形態の構成及び動作は例であって、本発明の趣旨を逸脱しない範囲で適宜変更することができることは言うまでもない。
【産業上の利用可能性】
【００３１】
本発明は、例えば、テレビジョン受像機だけでなく、携帯電話機等のＬＥＤを備える各種機器にも適用することができる。
【図面の簡単な説明】
【００３２】
【図１】本発明が適用されるテレビジョン受像機の一実施の形態の構成例を示すブロック図である。
【図２】情報記憶部に記憶されているデータを送信する手順を示すフローチャートである。
【図３】本実施の形態から送信されたデータが送受信機器を介してＰＣに供給されることを示す図である。
【図４】情報記憶部に記憶されている調整値のデータ構成例を示す図である。
【図５】情報記憶部に記憶されている調整値を送信する手順を示すフローチャートである。
【符号の説明】
【００３３】
１  信号処理回路
２  ＬＣＤ制御回路
３  ＬＣＤ
４  インバータ回路
５  マイコン
６  情報記憶部
７  発光部
８  受光部
９  モード設定部
３１  ＬＥＤ
５１  タイマ機能部
１００  テレビジョン受像機
１１０  送受信機能部
２００  リモコン
２１０  送受信機能部
３００  ＰＣ
【図１】
2008061070.tif 000003
【図２】
2008061070.tif 000004
【図３】
2008061070.tif 000005
【図４】
2008061070.tif 000006
【図５】
2008061070.tif 000007